(57)【特許請求の範囲】
【請求項１】
画像を読取り該画像を表す読取り画像データを出力するスキャナ；
記録画像データが表す画像を用紙上に形成するプリンタ；
前記スキャナが画像を読み取って発生するＲＧＢデータの、読み取り歪を補正するスキャナγ補正手段，該画像データの画像表現を滑らかに又は鮮鋭にするフィルタ処理手段，ＣＭＹＫデータに変換する色補正手段，ＣＭＹＫデータを、作像手段の作像特性を補償するものに補正するプリンタγ補正手段および前記プリンタが階調表現するデータに変換する階調処理手段を備える画像データ入出力デバイスと、画像読取り蓄積および複写の画像データ処理の流れを制御するシステムコントロールデバイス，メイン側第１および第２コネクタ，メイン側第１コネクタを前記画像データ入出力デバイスに接続する第１接続手段、および、メイン側第２コネクタをシステムコントロールデバイスに接続する第２接続手段、を装備したメインボード；および、
メイン側第１および第２のコネクタに接続する第１オプション側の第１および第２コネクタ、ならびに、第１オプション側の第１コネクタと第２コネクタとを接続する第３接続手段を装備した第１オプションボード；又は、
メイン側第１および第２のコネクタに接続する第２オプション側の第１および第２コネクタ，画像読取り蓄積のための画像圧縮／伸張手段を含む画像処理デバイス，第２オプション側の第１コネクタを画像処理デバイスに接続する第４接続手段、ならびに、第２オプション側の第２コネクタを画像処理デバイスに接続する第５接続手段、を装備した第２オプションボードと、前記画像処理デバイスに接続された、画像圧縮／伸張手段が圧縮した画像データを書き込みそして読み出すストレージ；
を備え、
前記メインボードは、前記メイン側第１および第２コネクタに接続されたオプションボードが第１オプションボードか第２オプションボードか検出する手段を備え；
前記システムコントロールデバイスは、該検出する手段が第１オプションボードを検出すると、前記画像データ入出力デバイスの、前記フィルタ処理手段が補正した読取りＲＧＢデータを前記色補正手段によりＣＭＹＫデータに変換し、そして前記プリンタγ補正手段で補正し前記階調処理手段が変換した記録画像データを前記プリンタに出力する第１方式の複写、の画像データ処理の流れを制御する第１方式のシステム制御を選択し；第２オプションボードを検出したときには、前記画像データ入出力デバイスの、前記フィルタ処理手段が補正した読取りＲＧＢデータを前記画像処理デバイスの画像圧縮／伸張手段で圧縮して前記ストレージに蓄積する画像読取り蓄積、および、前記ストレージからデータを読み出して画像圧縮／伸張手段でＲＧＢデータに伸張し、前記色補正手段によりＣＭＹＫデータに変換し、そして前記プリンタγ補正手段で補正し前記階調処理手段が変換した記録画像データを前記プリンタに出力する第２方式の複写、の画像データ処理の流れを制御する第２方式のシステム制御を選択する；
画像形成装置。
【請求項２】
前記画像処理デバイスは、プレビュー作成手段およびサムネイル作成手段を含む；請求項１に記載の画像形成装置。
【請求項３】
前記メイン側第１および第２コネクタに接続されたオプションボードが第１オプションボードか第２オプションボードか検出する手段は、前記メイン側第２コネクタに第１又は第２オプションボード側第２コネクタが接続されることにより、電位が高又は低となる信号ラインを含み、該信号ラインの電位の高／低の一方が、第１オプションボードの接続有りを、他方が第２オプションボードの接続有りを表す；請求項１に記載の画像形成装置。
【請求項４】
前記メイン側第１および第２コネクタに接続されたオプションボードが第１オプションボードか第２オプションボードか検出する手段は、前記システムコントロールデバイスであって前記メイン側第２コネクタを介してオプション側のデバイスＩＤを読み込んで該メイン側第２コネクタに接続されたオプションボードが第２オプションボードであるか識別する；請求項１に記載の画像形成装置。
【請求項５】
前記画像処理デバイスは、ＲＧＢデータをＣＭＹＫデータに変換する色補正手段を備え；
前記システムコントロールデバイスは、前記第２方式の複写においては、前記画像データ入出力デバイスの前記色補正手段に代えて、前記画像処理デバイスの前記色補正手段を用いて、前記画像圧縮／伸張手段が伸張したＲＧＢデータをＣＭＹＫデータに変換する；請求項１乃至４のいずれか１つに記載の画像形成装置。
【請求項６】
前記メインボードに、メイン側第１および第２コネクタをそれぞれ前記画像データ入出力デバイスおよびシステムコントロールデバイスに接続するメイン側高速シリアル転送インターフェースを装備し；
第１オプションボードに、第１オプション側の第１および第２コネクタ間を接続するオプション側高速シリアル転送インターフェース、および、前記メイン側およびオプション側高速シリアル転送インターフェースにクロックを与えるためのＳＳＣＧ、を装備し；
第２オプションボードに、第２オプション側の第１および第２コネクタを画像処理デバイスに接続するオプション側高速シリアル転送インターフェース、および、前記メイン側およびオプション側高速シリアル転送インターフェースにクロックを与えるためのＳＳＣＧ、を装備した；
請求項１乃至５のいずれか１つに記載の画像形成装置。
【請求項７】
メインボードのメイン側第１および第２コネクタに対する第１又は第２オプションボードの前記コネクタの脱着により、メインボードに装着した第１オプションボードをメインボードから取り外して、代わりに第２オプションボードをメインボードに装着できる；請求項１乃至６のいずれか１つに記載の画像形成装置。
【発明の詳細な説明】
【技術分野】
【０００１】
本発明は、スキャナ，プリンタおよびシステムコントローラを備える画像形成装置に関し、特に、これに限定する意図ではないが、パソコン（ＰＣ）等のコンピュータと通信してコンピュータが与える印刷命令を実行するシステムコントローラを備える複合機能プリンタ（ＭＦＰ）に関する。該システムコントローラは、プリンタコントローラといわれることもある。
【背景技術】
【０００２】
【特許文献１】特開２００５−    ７７８１号公報
【特許文献２】特開２００６−２０３７０２号公報
【特許文献３】特開２００６−２５２１９１号公報
【特許文献４】特開２００７−２２１７３１号公報。
【０００３】
特許文献１は、機能拡張用のオプションボードが接続されているときには、操作説明書の出力要求があると基本機能の操作説明書と該オプションボードの拡張機能の操作説明書をディスプレイに表示する画像形成装置が記載されている。特許文献２〜３には、プレビュー画像およびサムネイル画像を用いる画像形成装置が記載されている。
【０００４】
複合機能印刷機（ＭＦＰ）においては、例えば主な機能として以下３点Ａ〜Ｃがあげられ、機能によっては、画像データを必要に応じてＲＧＢやＣＭＹＫにデータを変換している。ＲＧＢ，ＣＭＹＫをデータ方式という。機能ごとの主なデータ方式は、
Ａ．印刷（プリンタ）機能
パソコン（ＰＣ）などのコンピュータからの印刷データを、ＣＭＹＫ方式のイメージデータに変換してプリンタで印刷する、
Ｂ．コピー機能
方法としては、２方式ある：
Ｂ−１．第１方式（表１参照）
スキャナから読み込んだＲＧＢデータ（イメージデータ）を直ぐにＣＭＹＫデータに変換してプリンタで印刷する、
Ｂ−２．第２方式（表１参照）
スキャナから読み込んだＲＧＢデータを直ぐにＣＭＹＫデータにはしないで、ＲＡＭ，ＨＤＤ，外付けメディア（記録媒体）等のストレージに蓄積し、その後、編集（ＲＧＢ），ＰＣ等コンピュータへの配信（ＲＧＢ），メイディア登録（ＲＧＢ），印刷（ＣＭＹＫに変換）等を行う、
Ｃ．スキャナ蓄積機能
スキャナから読み込んだＲＧＢデータをストレージに蓄積する機能を、スキャナ蓄積機能という。ストレージに蓄積したＲＧＢデータは、編集（ＲＧＢ），ＰＣ等コンピュータへの配信（ＲＧＢ），メイディア登録（ＲＧＢ），印刷（ＣＭＹＫに変換）等に用いる。
【０００５】
【表１】
0004999667.tif 000002
【０００６】
ＭＦＰにおいては、例えば必要最低限の機能として印刷機能Ａとコピー機能Ｂがあげられ、拡張機能としてスキャナ蓄積機能Ｃがあげられる。従来、第１方式及び第２方式のいずれにおいても、印刷機能Ｃは同じデータ方式（ＣＭＹＫ）である。
【０００７】
図１１に一般的な複写動作の画像処理機能を示す。尚、各機能をもつモジュールを以下のように定義する、
＜画像読み取り部＞
・スキャナγ
・フィルタ
・色補正
＜画像出力部＞
・プリンタγ
・諧調処理
＜画像処理部＞
・画像圧縮／伸張
・プレビュー作成
・サムネイル作成。
【０００８】
画像読み取りを行うスキャナ４にて、紙媒体から読み込まれた画像データ（ＲＧＢデータ）は、ＡＤ変換およびシェーディング補正をした後、スキャナγ補正，フィルタ処理などを通じて画像データの補正や調整が行われた後、色補正にて、ＲＧＢデータからＣＭＹＫデータに変換され、その後、プリンタ３の画像表現特性に適合させるためのプリンタγ補正およびプリンタ３が適合する階調表現データへの画像データ変換をする階調処理を経て、プリンタに与えられる。プリンタ３は、該階調表現データに基づいて、用紙上に画像を形成する。各機能は、次のように画像データを処理する。
−スキャナγ補正２１−
スキャナ４による画像（光）／画像データ（電子データ）変換の変換特性等による読取歪みを補正する，
−フィルタ処理２２−
読み取り画像データが表す画像のモアレ除去（平滑化）あるいはシャープネス調整（エッジ強調）等，
−色補正２３−
ＲＧＢデータを濃度値ＣＭＹＫデータに変換する，
−プリンタγ補正２４−
ＣＭＹＫデータを、プリンタ３の画像表現特性に合わせて濃度調整する，
−階調処理２５−
多ビットデータであるＣＭＹＫを、プリンタが適合する階調表現データに変換する。
【０００９】
第１方式の一般的なコピー機能は、図１１に示す各機能を用いて、次に示すフロー１の順番で画像処理を行なう、
−フロー１−
スキャナ
↓
スキャナγ補正（ＲＧＢ）
↓
フィルタ処理（ＲＧＢ）
↓
色補正（ＲＧＢ→ＣＭＹＫ）
↓
色補正後のＣＭＹＫデータをＲＡＭへ
↓
プリンタγ補正
↓
諧調処理
↓
プリンタ。
【００１０】
第２方式の一般的なコピー機能は、図１２に示す各機能を用いて、次に示すフロー２の順番で画像処理を行なう、
−フロー２−
スキャナ
↓
スキャナγ補正（ＲＧＢ）
↓
フィルタ処理（ＲＧＢ）
↓
圧縮＆サムネイル作成＆プレビュー作成
↓
ＲＡＭ
↓
ＨＤＤへ保存
↓
伸張
↓
色補正（ＲＧＢ→ＣＭＹＫ）
↓
色補正後のＣＭＹＫデータをＲＡＭへ
↓
プリンタγ
↓
諧調処理
↓
プリンタ。
【００１１】
図１２に示す画像処理部の各機能は、次のように画像データを処理する、
−画像圧縮／伸張７１−
画像データの符号化と復号化，
−プレビュー作成７２−
スキャナ読取り画像データ（ＲＧＢ）をプレビュー画像データに変換，
−サムネイル作成７３−
スキャナ読取り画像データ（ＲＧＢ）をサムネイル画像データに変換。
【００１２】
第１方式では、スキャナγ補正２１，フィルタ処理２２のあとすぐ色補正２３でＲＧＢ→ＣＭＹＫ変換を行っており、データをその後ＣＭＹＫ方式で扱うことにより、そのまま画像出力部へ出力することができる簡易な仕組みになっている。
【００１３】
一方、第２方式では、スキャナγ補正２１，フィルタ処理２２のあとは、色補正でなく、画像圧縮７１によってＲＧＢのまま圧縮してＨＤＤ５に保存し、その後、ＨＤＤ５から読み出して画像伸張７１によって伸張し、そして、色補正２３，画像出力部へと出力する仕組みになっている。ＲＧＢのままデータハンドリングすることにより、ＣＭＹＫに比べて、高解像度で保存ができるなどのメリットがある。
【００１４】
しかし仮に、第２方式において、もし画像処理部（７１〜７３）が、画像出力部（２４，２５）とシステムコントローラ（３０）の間にあるとすると、各機能を用いる画像処理の順番は、次に示すフロー３となる、
−フロー３−
スキャナ
↓
スキャナγ補正（ＲＧＢ）
↓
フィルタ処理（ＲＧＢ）
↓
ＲＡＭ
↓
圧縮＆サムネイル作成＆プレビュー作成
↓
ＲＡＭ
↓
ＨＤＤへ保存
↓
伸張
↓
色補正（ＲＧＢ→ＣＭＹＫ）
↓
色補正後のＣＭＹＫデータをＲＡＭへ
↓
プリンタγ
↓
諧調処理
↓
プリンタ
この場合は、ＲＡＭに対するデータ書き込み／読み出しが２回になり、データ転送回数が多くなってしまう。
【発明の開示】
【発明が解決しようとする課題】
【００１５】
主に低価格ＭＦＰでは、コスト低減のためにスキャナ蓄積機能Ｃを省略したいという要望があると共に、スキャナ蓄積機能Ｃがあるものに拡張可能にもしたいという要望がある。従来は、第１方式と第２方式においてはデータ方式（ＲＧＢ，ＣＭＹＫ）の使用方法が異なるため、スキャナ蓄積機能Ｃを搭載したい機種はあらかじめ第２方式で開発しておく必要があり、かつ不要な画像処理部（７１〜７３）を実装したままにしておかなければならないといった課題があった。このとき、画像処理部（７１〜７３）は常に実装されている状態となっていた。
【００１６】
本発明はデータ方式の使用方法が異なる、第１方式から第２方式への拡張が可能な画像形成装置を提供することを第１の目的とし、加えて、第２方式へ拡張してもデバイス間データ転送は簡易にすることを、第２の目的とする。
【課題を解決するための手段】
【００１７】
（１）画像を読取り該画像を表す読取り画像データを出力するスキャナ(4)；
記録画像データが表す画像を用紙上に形成するプリンタ(3)；
前記スキャナ(4)が画像を読み取って発生するＲＧＢデータの、読み取り歪を補正するスキャナγ補正手段，該画像データの画像表現を滑らかに又は鮮鋭にするフィルタ処理手段，ＣＭＹＫデータに変換する色補正手段，ＣＭＹＫデータを、作像手段の作像特性を補償するものに補正するプリンタγ補正手段および前記プリンタ(3)が階調表現するデータに変換する階調処理手段を備える画像データ入出力デバイス(20)と、画像読取り蓄積および複写の画像データ処理の流れを制御するシステムコントロールデバイス(30)，メイン側第１および第２コネクタ(22,32)，メイン側第１コネクタ(22)を前記画像データ入出力デバイス(20)に接続する第１接続手段(21)、および、メイン側第２コネクタ(32)をシステムコントロールデバイス(30)に接続する第２接続手段(31)、を装備したメインボード(10)；および、
メイン側第１および第２のコネクタ(22,32)に接続する第１オプション側の第１および第２コネクタ(52,53)、ならびに、第１オプション側の第１コネクタ(52)と第２コネクタ(53)とを接続する第３接続手段(51)を装備した第１オプションボード(50)；又は、
メイン側第１および第２のコネクタ(22,32)に接続する第２オプション側の第１および第２コネクタ(62,63)，画像読取り蓄積のための画像圧縮／伸張手段を含む画像処理デバイス(70)，第２オプション側の第１コネクタ(62)を画像処理デバイス(70)に接続する第４接続手段(71)、ならびに、第２オプション側の第２コネクタ(63)を画像処理デバイス(70)に接続する第５接続手段(72)、を装備した第２オプションボード(60)と、前記画像処理デバイス(70)に接続された、画像圧縮／伸張手段が圧縮した画像データを書き込みそして読み出すストレージ(5)；
を備え、
前記メインボード(10)は、前記メイン側第１および第２コネクタ(22,32)に接続されたオプションボードが第１オプションボード(50)か第２オプションボード(60)か検出する手段(11,32)を備え；
前記システムコントロールデバイス(30)は、該検出する手段(11,32)が第１オプションボード(50)を検出すると、前記画像データ入出力デバイス(20)の、前記フィルタ処理手段(22)が補正した読取りＲＧＢデータを前記色補正手段(23)によりＣＭＹＫデータに変換し、そして前記プリンタγ補正手段(24)で補正し前記階調処理手段(25)が変換した記録画像データを前記プリンタ(3)に出力する第１方式の複写、の画像データ処理の流れを制御する第１方式のシステム制御を選択し；第２オプションボード(50)を検出したときには、前記画像データ入出力デバイス(20)の、前記フィルタ処理手段(22)が補正した読取りＲＧＢデータを前記画像処理デバイス(70)の画像圧縮／伸張手段(71)で圧縮して前記ストレージ(5)に蓄積する画像読取り蓄積、および、前記ストレージ(5)からデータを読み出して画像圧縮／伸張手段(71)でＲＧＢデータに伸張し、前記色補正手段(23)によりＣＭＹＫデータに変換し、そして前記プリンタγ補正手段(24)で補正し前記階調処理手段(25)が変換した記録画像データを前記プリンタ(3)に出力する第２方式の複写、の画像データ処理の流れを制御する第２方式のシステム制御を選択する；
画像形成装置。
【００１８】
なお、理解を容易にするためにカッコ内には、図面に示し後述する実施例の対応又は相当要素の符号を、例示として参考までに付記した。以下も同様である。
【発明の効果】
【００１９】
第１オプションボード(50)をメインボード(10)にコネクタ接続しているときには、図１１に示す態様で、第１方式のコピーを、上記フロー１で行う事が出来る。第２オプションボード(60)をメインボード(10)にコネクタ接続しているときには、図１２に示す態様で、第２方式のコピーを、フロー２で行う事が出来、また、画像読取り蓄積により、編集（ＲＧＢ），ＰＣ等コンピュータへの配信（ＲＧＢ），メイディア登録（ＲＧＢ）なども行う事が出来る。第２方式のコピーでのデバイス間データ転送において、ＲＡＭに対するデータの書き込み／読み出しは１回だけで済ますことが出来る。
【発明を実施するための最良の形態】
【００２０】
（２）前記画像処理デバイス(70)は、プレビュー作成手段およびサムネイル作成手段を含む；上記（１）に記載の画像形成装置。
【００２１】
（３）前記メイン側第１および第２コネクタ(22,32)に接続されたオプションボードが第１オプションボード(50)か第２オプションボード(60)か検出する手段(11,32)は、前記メイン側第２コネクタ(32)に第１又は第２オプションボード側第２コネクタ(53/63)が接続されることにより、電位(ip)が高(H)又は低(L)となる信号ラインを含み、該信号ラインの電位(ip)の高(H)／低(L)の一方が、第１オプションボード(50)の接続有りを、他方が第２オプションボード(60)の接続有りを表す；上記（１）に記載の画像形成装置。
【００２２】
（４）前記メイン側第１および第２コネクタ(22,32)に接続されたオプションボードが第１オプションボード(50)か第２オプションボード(60)か検出する手段(11,32)は、前記システムコントロールデバイス(30)であって前記メイン側第２コネクタ(32)を介してオプション側のデバイスＩＤを読み込んで該メイン側第２コネクタ(32)に接続されたオプションボードが第２オプションボード(60)であるか識別する（図１０）；上記（１）に記載の画像形成装置。
【００２３】
（５）前記画像処理デバイス(70)は、ＲＧＢデータをＣＭＹＫデータに変換する色補正手段(74)を備え；
前記システムコントロールデバイス(30)は、前記第２方式の複写においては、前記画像データ入出力デバイス(20)の前記色補正手段(23)に代えて、前記画像処理デバイス(70)の前記色補正手段(74)を用いて、前記画像圧縮／伸張手段(71)が伸張したＲＧＢデータをＣＭＹＫデータに変換する；上記（１）乃至（４）のいずれか１つに記載の画像形成装置。
【００２４】
（６）前記メインボード(10)に、メイン側第１および第２コネクタ(22,32)をそれぞれ前記画像データ入出力デバイス(20)およびシステムコントロールデバイス(30)に接続するメイン側高速シリアル転送インターフェースを装備し；
第１オプションボードに、第１オプション側の第１および第２コネクタ(52,53)間を接続するオプション側高速シリアル転送インターフェース、および、前記メイン側およびオプション側高速シリアル転送インターフェースにクロックを与えるためのＳＳＣＧ、を装備し；
第２オプションボードに、第２オプション側の第１および第２コネクタ(62,63)を画像処理デバイスに接続するオプション側高速シリアル転送インターフェース、および、前記メイン側およびオプション側高速シリアル転送インターフェースにクロックを与えるためのＳＳＣＧ、を装備した；
上記（１）乃至（５）のいずれか１つに記載の画像形成装置。
【００２５】
（７）メインボード(10)のメイン側第１および第２コネクタ(22,32)に対する第１又は第２オプションボード(50/60)の前記コネクタ(52,53/62,63)の脱着により、メインボード(10)に装着した第１オプションボード(50)をメインボード(10)から取り外して、代わりに第２オプションボード(60)をメインボード(10)に装着できる；上記（１）乃至（６）のいずれか１つに記載の画像形成装置。
【００２６】
本発明の他の目的および特徴は、図面を参照した以下の実施例の説明より明らかになろう。
【実施例１】
【００２７】
−第１実施例−
図１に、本発明の第１実施形態の、メインボード１０，第１オプションボード５０および第２オプションボード６０の電子回路配置を示す。メインボード１０は、画像データ入出力デバイス２０，システムコントロールデバイス３０，オプションボードを装着し各デバイス２０，３０に電気接続するためのメイン側第１および第２コネクタ２２，３２、および、各コネクタ２２，３２を各デバイス２０，３０に接続するメイン側高速シリアル転送インターフェース２１，３１、を装備している。
【００２８】
第１オプションボード５０は、メイン側コネクタ２２，３２に接続するための第１オプションのオプション側第１および第２コネクタ５２，５３，該オプション側コネクタ間を接続するオプション側高速シリアル転送インターフェース５１、および、前記メイン側およびオプション側高速シリアル転送インターフェース２１，３１，５１にクロックを与えるためのＳＳＣＧ(Spread Spectrum Clock Generator：周波数拡散クロック発生器)  ４０ｔ、を装備したスルーボードである。
【００２９】
第２オプションボード６０は、画像処理デバイス７０，前記メイン側コネクタ２２，３２に接続するための、第２オプションのオプション側第１および第２コネクタ６２，６３，各コネクタを画像処理デバイス７０に接続するオプション側高速シリアル転送インターフェース７１，７２、および、前記メイン側およびオプション側高速シリアル転送インターフェース２１，３１，７１，７２にクロックを与えるためのＳＳＣＧ  ４０ｄ、を装備した、機能拡張用の、オプションデバイスボードである。
【００３０】
第１，第２オプションボード５０，６０を、選択的にメインボード１０に装着でき、取替えができる。すなわち、第１方式のコピー機能およびＰＣの印刷命令に従う印刷などの印刷機能、すなわちＭＦＰの基本（最低）機能のみを備える態様では、第１オプションボード５０のコネクタ５２，５３をメインボード１０のコネクタ２２，３２にコネクタ接続することにより、図２の（ａ）に示すように、メインボード１０に第１オプションボード５０を装着する。この装着により、第１オプションボード５０上のＳＳＣＧ  ４０ｔが、ＳＳＣ(Spread Spectrum Clock：周波数拡散クロック)であるクロックＡ，Ｂを、コネクタ５２，５３を通して各デバイス２０，３０の、バス２１，３１が接続した高速シリアル転送インターフェースに、与える。デバイス２０と３０は、バス２１，コネクタ２２，５２，バス５１，コネクタ５３，３２およびバス３１で接続されている。
【００３１】
第２方式のコピー機能，印刷機能、および、ストレージに読み取り画像データを一旦蓄積しその後印刷又は配信（ＰＣ等に送信）する画像読取り蓄積機能、を備える機能拡張態様では、第２オプションボード６０のコネクタ６２，６３をメインボード１０のコネクタ２２，３２にコネクタ接続することにより、図２の（ｂ）に示すように、メインボード１０に第２オプションボード６０を装着する。この装着により、第２オプションボード６０上のＳＳＣＧ  ４０ｄが、ＳＳＣであるクロックＡ，Ｂを、コネクタ６２，６３を通して各デバイス２０，３０の、バス２１，３１が接続した高速シリアル転送インターフェースに、与える。第２オプションボード６０上の画像処理デバイス７０には、該ボード６０上においてＳＳＣＧ  ４０ｄが、ＳＳＣであるクロックＣ１，Ｃ２を与える。画像入出力デバイス２０と拡張機能デバイスである画像処理デバイス７０は、バス２１，コネクタ２２，６２およびバス７１で接続され、画像処理デバイス７０とシステムコントロールデバイス３０は、バス７２，コネクタ６３，３２およびバス３１で接続されている。
【００３２】
本実施形態の高速シリアル転送インターフェース（２１，３１，５１，７１，７２）はすべて、ＰＣＩ−ＥＸＰＲＥＳＳであり、しかもＳＳＣＧ４０ｔ，４０ｄはそれぞれ、基準クロック発生器，スペクトラム拡散器およびＰＬＬ（Phase Locked Loop）ならびに必要に応じて分周器を備えるものであり、基準クロック発生器が発生する基準クロックをスペクトラム拡散器で周波数拡散をしたＳＳＣを、クロックＡ，Ｂ，Ｃ１，Ｃ２として出力する。ＳＳＣＧ  ４０ｔ，４０ｄが供給するクロックＡ，Ｂ，Ｃ１，Ｃ２の、各電子回路デバイス２０，３０，７０における周波数偏差は、ＰＣＩ−ＥＸＰＲＥＳＳの規格以内としている。
【００３３】
なお、ＳＳＣＧ内に周波数拡散をした基本クロックを分周する分周器を備えて、異なった周波数のＳＳＣを一部のデバイスに与えることが出来る。また、ＳＳＣＧ内に複数のＰＬＬを備えて、スペクトラム拡散器で周波数拡散をしたクロックを複数のＰＬＬに与えて各ＰＬＬが出力するパルスを選択的に各デバイスに与えることも出来る。
【００３４】
図３に、図２の（ａ）に示す基本機能のみを備える態様のＭＦＰの、各デバイス間のデータ処理の流れ（データ処理の順番）を、矢印線で示す。なお、この矢印線は、実際のデータ転送線（バスライン）を示すものではなく、図１１に示す態様の、上述の第１方式の「フロー１」でのデータ処理の流れを示す（以下の図面でも同様）。このデータ処理の流れを、システムコントロールデバイス３０のシステムコントローラ３１が、画像データＩ／Ｆ制御３３を介して上述の高速シリアル転送インターフェースを制御することにより、実現する。
【００３５】
なお、図３上の画像データＩ／Ｆ制御３３のブロック内に複数の切換えスイッチを示すが、これらのスイッチは、データ処理の流れの切換えを模式的にあらわすものである。ＲＡＭ３４に向かう矢印はＲＡＭ３４へのデータの書き込みを意味し、ＲＡＭ３４から出る矢印はＲＡＭ３４からのデータの読み出しを意味する。システムコントローラ３１に向かう矢印は、ＰＣ等への配信データの流れを意味し、システムコントローラ３１から出る矢印は、ＰＣ等の印刷命令の書画情報をシステムコントローラ３１が印刷用のＣＭＹＫデータ（イメージデータ）の、システムコントローラ３１からの出力を意味する。
【００３６】
第１オプションボード５０のコネクタ５２，５３がメイン側コネクタ２２，３２に接続されており、第１オプションボード側のコネクタ５３の、ＰＲＥＳＥＮＴ端子ピン５４とアース接続ピン５５間が開放であるので、ＰＲＥＳＥＮＴ端子ピン５４の電位が与えられる入力ポートｉｐは、第１オプションボード５０が接続されていることを表す高レベルＨ（Ｖｃ）である。この高レベルＨに対応してシステムコントローラ３１は、基本機能態様のシステム制御プログラム（第１方式のシステム制御）を選択し、複写では、スキャナ４が出力するＲＧＢデータがスキャナγ補正２１およびフィルタ処理２２を経て、色補正２３に与えてＣＭＹＫデータに変換し、そしてプリンタγ補正２４に与える。すなわち第１方式のコピーを行う。パソコンＰＣから通信Ｉ／Ｆ２を介して印刷命令を受けると、システムコントローラ３１は、印刷命令の書画情報をＣＭＹＫイメージデータすなわちＣＭＹＫデータに変換してＲＡＭ３４に展開してから、プリンタγ補正２４に出力する。
【００３７】
図４に、図２の（ｂ）に示す拡張機能である画像読取り蓄積機能Ｃを備える拡張機能態様のＭＦＰの、各デバイス間のデータ処理の流れを、矢印線で示す。この矢印線は、上述の第２方式の「フロー２」でのデータ処理の流れと、画像読取り蓄積Ｃでのデータ処理の流れを示す。拡張機能ボードである第２オプションボード６０には、画像圧縮／伸張機能７１，プレビュー作成機能７２およびサムネイル作成機能７３を持つ画像処理デバイス７０が搭載されている。第２オプションボード６０のコネクタ６２，６３がメイン側コネクタ２２，３２に接続されており、第２オプションボード側のコネクタ６３の、ＰＲＥＳＥＮＴ端子ピン５４とアース接続ピン５５間が接続導体６４で短絡されているので、ＰＲＥＳＥＮＴ端子ピン５４の電位が与えられる入力ポートｉｐは、第２オプションボード６０が接続されていることを表す低レベルＨ（機器アース）である。この低レベルＬに対応してシステムコントローラ３１は、拡張機能態様のシステム制御プログラム（第２方式のシステム制御）を選択し、複写では、スキャナ４が出力するＲＧＢデータがスキャナγ補正２１およびフィルタ処理２２を経て、フィルタ処理２２から画像処理デバイス７０に与え、そこで圧縮してＲＡＭ３４に書き込み更にプレビューおよびサムネイルを作成し圧縮してＲＡＭ３４に書き込み、そしてこれらの圧縮データをＨＤＤ５に登録する。そしてＨＤＤ５から読み出してＲＧＢデータに戻し色補正２３でＣＭＹＫデータに変換してからプリンタγ補正２４に与える。すなわち第２方式のコピーを行う。画像読取り蓄積の場合には、ＨＤＤ５に登録した後、ＰＣ等への配信あるいは印刷指示に応答する印刷を行う。この印刷では、ＨＤＤ５から読み出してＲＧＢデータに戻し色補正２３でＣＭＹＫデータに変換してからプリンタγ補正２４に与える。パソコンＰＣから通信Ｉ／Ｆ２を介して印刷命令を受けると、システムコントローラ３１は、印刷命令の書画情報をＣＭＹＫイメージデータすなわちＣＭＹＫデータに変換してＲＡＭ３４に展開してから、プリンタγ補正２４に出力する。
【００３８】
第１方式（図３）においては、ＨＤＤ５（ストレージ）は実装されず、第２方式（図４）においてのみＨＤＤ５が実装されることから、画像処理デバイス７０とＨＤＤ５（ストレージ）がつねにペアとなっている。画像処理デバイス７０にＨＤＤ  Ｉ／Ｆを実装し、第２オプションボード６０ごとペアになっていれば、例えばＨＤＤ  Ｉ／Ｆをシステムコントロールデバイス３０にもつ場合に比べて、ＨＤＤ５から画像処理デバイス７０に至るコネクタ，接続バスなどのコストを抑えることができる。
【００３９】
図５に、システムコントローラ３１によるシステム制御の選択を示す。システムコントローラ３１は、動作電圧が加わって起動し、システム内外の初期化（待機状態に設定）（ステップｓ１）を終えると、入力ポートｉｐの電位を参照して、それがＨであると第１方式のシステム制御プログラムを、コントローラ３１内部の不揮発メモリから読み出してコントローラ３１内部の制御ＲＡＭに書き込み（ステップｓ２，ｓ３）、制御ＲＡＭのプログラムに従ってシステム制御を実行する（ステップｓ５，ｓ６）。入力ポートｉｐの電位がＬであったときには、第２方式のシステム制御プログラムを、コントローラ３１内部の不揮発メモリから読み出して制御ＲＡＭに書き込み（ステップｓ２，ｓ４）、制御ＲＡＭのプログラムに従ってシステム制御を実行する（ステップｓ５，ｓ６）。このように、メインボード１０に装着したオプションボードが、画像処理機能がある第２オプションボード６０か、画像処理機能がない第１オプションボード５０かを検出してシステム制御（画像データ処理シーケンス）を決定するので、拡張機能要素の有無に対応するシステム制御の設定（選択）が容易である。
【実施例２】
【００４０】
−第２実施例−
第２実施例では、第２オプションボード６０の画像処理デバイス７０にも、画像読取りで得るＲＧＢデータを、プリンタで記録するためのＣＭＹＫデータに変換する色補正７４を備える。
【００４１】
図６に、第２実施例の、基本機能のみを備える態様のＭＦＰの、各デバイス間のデータ処理の流れを、矢印線で示す。すなわち第１方式の「フロー１」でのデータ処理の流れを示す。入力ポートｉｐの高レベルＨに対応してシステムコントローラ３１は、基本機能態様のシステム制御プログラム（第１方式のシステム制御）を選択し、複写では、スキャナ４が出力するＲＧＢデータがスキャナγ補正２１およびフィルタ処理２２を経て、色補正２３に与えてＣＭＹＫデータに変換し、そしてプリンタγ補正２４に与える。すなわち第１方式のコピーを行う。
【００４２】
図７に、第２実施例の、拡張機能である画像読取り蓄積機能を備える拡張機能態様のＭＦＰの、各デバイス間のデータ処理の流れを、矢印線で示す。拡張機能ボードである第２オプションボード６０には、画像圧縮／伸張機能７１，プレビュー作成機能７２，サムネイル作成機能７３および色補正機能７４を持つ画像処理デバイス７０が搭載されている。入力ポートｉｐの低レベルＬに対応してシステムコントローラ３１は、拡張機能態様のシステム制御プログラム（第２方式のシステム制御）を選択し、複写では、スキャナ４が出力するＲＧＢデータがスキャナγ補正２１およびフィルタ処理２２を経て、フィルタ処理２２から画像処理デバイス７０に与え、そこで圧縮してＲＡＭ３４に書き込み更にプレビューおよびサムネイルを作成し圧縮してＲＡＭ３４に書き込み、そしてこれらの圧縮データをＨＤＤ５に登録する。そしてＨＤＤ５から読み出してＲＧＢデータに戻し、画像処理デバイス７０の色補正７４でＣＭＹＫデータに変換してからプリンタγ補正２４に与える。すなわち第２方式のコピーを行う。画像読取り蓄積の場合には、ＨＤＤ５に登録した後、ＰＣ等への配信あるいは印刷指示に応答する印刷を行う。この印刷では、ＨＤＤ５から読み出してＲＧＢデータに戻し、画像処理デバイス７０の色補正７４でＣＭＹＫデータに変換してからプリンタγ補正２４に与える。
【００４３】
第２実施例のその他のハードウエアおよび機能は、上述の第１実施例と同様である。第２方式における色補正を、第１実施例のように画像データ入出力デバイスの色補正機能２３を用いるものとすると、伸張作業を行ってから、プリンタγ補正２４にたどりつくまでに、画像処理デバイス７０，画像データ入出力デバイス２０，画像処理デバイス７０，画像データ入出力デバイス２０と循環しなければならない。しかし、第２実施例のように画像処理デバイス７０にも色補正機能７４を実装することにより、ＨＤＤ５から読み出しそして伸張したＲＧＢデータを、画像データ入出力デバイス２０に戻すことなく、画像処理デバイス７０でＣＭＹＫデータに変換することが可能である。
【００４４】
なお、第２実施例は、第２オプションボード６０ａを装備した拡張機能態様（第２方式）のＭＦＰ（図７）でも、第１オプションボード５０ａを装備しているときの第１方式のコピーと同様な方式のコピーが可能である。すなわち、第１オプションボード５０ａを装備しているときの第１方式のコピーにおける画像データ処理の流れと同一の画像データ処理シーケンスも実施できる。
【実施例３】
【００４５】
−第３実施例−
第３実施例は、第２実施例の画像処理デバイス７０の画像データ処理シーケンスを簡略化し、また、画像データＩ／Ｆ制御３３の画像データ転送制御を簡略化したものである。
【００４６】
図８には、第２実施例の基本機能のみを備える態様（第１方式）のＭＦＰの、各デバイス間のデータ処理の流れを、矢印線で示す。この態様では、画像データ入出力デバイス２０ｂの色補正機能２３でＣＭＹＫデータに変換し、続いてプリンタγ補正２４にてプリンタγ補正するデータ処理フローがあり、これにより第１方式のコピーが行われる。
【００４７】
図９には、第２実施例の拡張機能を備える拡張機能態様（第２方式）のＭＦＰの、各デバイス間のデータ処理の流れを、矢印線で示す。この態様では、画像データ入出力デバイス２０ｂの色補正２３に続くプリンタγ補正２４によるプリンタγ補正はなく、第１方式と同様なデータ処理シーケンスによるコピーは出来ない。その分第２オプションボード６０および画像データＩ／Ｆ制御３３の機能が簡略化されている。
【実施例４】
【００４８】
−第４実施例−
第４実施例は、第１〜３実施例の、第１および第２オプションボード５０，６０のいずれをメインボード１０に装備しているかを検出するハードウエア要素（１１，５４，５５，６４，ｉｐ）を省略したものとし、システムコントローラ３１が、デバイスＩＤ（識別データ）を読み取って、デバイスＩＤに対応して基本機能態様のシステム制御プログラム（第１方式のシステム制御）又は拡張機能態様のシステム制御プログラム（第２方式のシステム制御）を選択する。
【００４９】
メインボード１０に第１オプションボード５０が装着されているときには、図１０の（ａ）に示すように、システムコントローラ３１は、第１オプションボード５０を介して画像データ入出力デバイス２０のデバイスＩＤを読み取る。この場合は、システムコントローラ３１は、第１オプションボード５０が装着されているので、基本機能態様のシステム制御プログラム（第１方式のシステム制御）を選択する。しかしメインボード１０に第２オプションボード６０が装着されているときには、図１０の（ｂ）に示すように、システムコントローラ３１は、第２オプションボード６０の画像処理デバイス７０のデバイスＩＤを読み取る。この場合は、システムコントローラ３１は、第２オプションボード６０が装着されているので、拡張機能態様のシステム制御プログラム（第２方式のシステム制御）を選択する。この実施例によれば、ハード検知（第１〜第３実施例）の場合のＩ／Ｆの検知端子が不要というメリットがある。
【図面の簡単な説明】
【００５０】
【図１】本発明の第１実施例のＭＦＰのメインボード１０，第１オプションボード５０および第２オプションボード６０の、構成の概要を示すブロック図である。
【図２】（ａ）は、図１に示すメインボード１０に第１オプションボード５０を装備したＭＦＰの構成を示すブロック図である。（ｂ）は、図１に示すメインボード１０に第２オプションボード６０を装備したＭＦＰの構成を示すブロック図である。
【図３】図２の（ａ）に示す、第１方式のコピーを行うＭＦＰでの、データ処理の流れを矢印線で示すブロック図である。
【図４】図２の（ｂ）に示す、第２方式のコピーを行うＭＦＰでの、データ処理の流れを矢印線で示すブロック図である。
【図５】図３および図４に示すシステムコントローラ３１の、第１および第２システム制御のいずれかを設定する過程を示すフローチャートである。
【図６】本発明の第２実施例の第１方式のコピーを行うＭＦＰでの、データ処理の流れを矢印線で示すブロック図である。
【図７】本発明の第２実施例の第２方式のコピーを行うＭＦＰでの、データ処理の流れを矢印線で示すブロック図である。
【図８】本発明の第３実施例の第１方式のコピーを行うＭＦＰでの、データ処理の流れを矢印線で示すブロック図である。
【図９】本発明の第３実施例の第２方式のコピーを行うＭＦＰでの、データ処理の流れを矢印線で示すブロック図である。
【図１０】本発明の第４実施例のシステムコントローラ３１の、ＩＤ読み取り対象デバイスを示すブロック図であり、（ａ）は画像データ入出力デバイス２０のデバイスＩＤを読み取って第１方式のシステム制御を設定する態様を示し、（ｂ）は画像処理デバイス７０のデバイスＩＤを読み取って第２方式のシステム制御を設定する態様を示す。
【図１１】第１方式のコピーを行う画像処理機能を示すブロック図である。
【図１２】第２方式のコピーを行う画像処理機能を示すブロック図である。
【符号の説明】
【００５１】
２１，３１，５１，７１，７２：高速シリアル転送インターフェースであるＰＣＩ−ＥＸＰＲＥＳＳのバス
２１ｐａ，３１ｐａ，７１ａ，７２ａ：ＭＩＤ−ＢＵＳを含むＰＣＩ−ＥＸＰＲＥＳＳのバス
【図１】
0004999667.tif 000003
【図２】
0004999667.tif 000004
【図３】
0004999667.tif 000005
【図４】
0004999667.tif 000006
【図５】
0004999667.tif 000007
【図６】
0004999667.tif 000008
【図７】
0004999667.tif 000009
【図８】
0004999667.tif 000010
【図９】
0004999667.tif 000011
【図１０】
0004999667.tif 000012
【図１１】
0004999667.tif 000013
【図１２】
0004999667.tif 000014